(57)【要約】【課題】快適な目覚めを提供し、且つ確実に目覚めることができると共に、システム構成を簡素化することができる安価な目覚ましシステム、および目覚まし機能付ベッドを提供する。【解決手段】アクチュエータ３を駆動させるコントローラボックス４と、時刻情報を提供するサーバ８と、サーバ８に携帯通信網を介して接続される通信ユニット５と、手元スイッチ６とを備え、コントローラボックス４は、目覚まし時刻データを記憶する目覚まし時刻記憶部１６を有するメモリ部１０と、起床時刻になるとアクチュエータ３を駆動させるベッド駆動制御部１１とを有し、手元スイッチ６は、アクチュエータ３を操作するための操作部２４と、サーバ８から得られた時刻情報を表示する表示部２５とを有している。【選択図】図２
2009077940.tif 000002
【特許請求の範囲】
【請求項１】
アクチュエータを駆動させるコントローラボックスと、
通信ネットワークに接続され時刻情報を提供するサーバと、
前記サーバに前記通信ネットワークを介して接続されると共に、前記コントローラボックスに接続される通信装置と、
前記コントローラボックスに接続されるスイッチボックスとを備えた目覚ましシステムであって、
前記コントローラボックスは、
目覚まし時刻データを記憶可能な目覚まし時刻記憶部を有するメモリ部と、
前記目覚まし時刻記憶部に予め記憶された前記目覚まし時刻データと前記サーバから得られた時刻情報とが一致したとき、前記アクチュエータを駆動させる制御部とを有し、
前記スイッチボックスは、
前記アクチュエータを操作するための操作部と、
前記サーバから得られた時刻情報を表示する表示部とを有することを特徴とする目覚ましシステム。
【請求項２】
前記スイッチボックスの前記操作部は目覚まし時刻を設定可能に構成され、この目覚まし時刻が前記目覚まし時刻データとして前記目覚まし時刻記憶部に書き込まれることを特徴とする請求項１に記載の目覚ましシステム。
【請求項３】
前記目覚まし時刻データを設定可能な端末装置を備え、
前記端末装置で設定された目覚まし時刻データを前記通信ネットワークを介して前記目覚まし時刻記憶部に書き込む、または、前記端末装置を前記コントローラボックスに接続して前記端末装置で設定された目覚まし時刻データを前記目覚まし時刻記憶部に書き込むことを特徴とする請求項１または請求項２に記載の目覚ましシステム。
【請求項４】
請求項１〜請求項３の何れかに記載の目覚ましシステムのうち、少なくともアクチュエータを電動ベッドに設けたことを特徴とする目覚まし機能付ベッド。
【請求項５】
前記メモリ部に前記電動ベッドの姿勢データを記憶可能な目覚まし位置記憶部を設け、
前記制御部は、前記目覚まし時刻記憶部に予め記憶された前記目覚まし時刻データと前記サーバから得られた時刻情報とが一致したとき、前記アクチュエータを前記姿勢データに基づいて駆動させることを特徴とする請求項４に記載の目覚まし機能付ベッド。
【請求項６】
前記電動ベッドに、少なくとも前記電動ベッドの頭部高さ調整用、背部高さ調整用、足部高さ調整用、および前記電動ベッドの高さ調整用として前記アクチュエータを設け、
前記目覚まし位置記憶部は、前記電動ベッドの姿勢データとして頭部高さデータ、背部高さデータ、足部高さデータ、およびベッド高さデータを記憶可能に構成されていることを特徴とする請求項５に記載の目覚まし機能付ベッド。
【請求項７】
前記メモリ部に前記電動ベッドの駆動速度データを記憶可能な目覚まし動作記憶部を設け、
前記制御部は、前記目覚まし時刻記憶部に予め記憶された前記目覚まし時刻データと前記サーバから得られた時刻情報とが一致したとき、前記アクチュエータを前記駆動速度データに基づいて駆動させることを特徴とする請求項４〜請求項６の何れかに記載の目覚まし機能付ベッド。
【請求項８】
前記スイッチボックス、および前記端末装置で前記姿勢データ、または前記駆動速度データを設定可能に構成したことを特徴とする請求項５〜請求項７の何れかに記載の目覚まし機能付ベッド。
【発明の詳細な説明】
【技術分野】
【０００１】
この発明は、就寝者を睡眠から目覚めさせる目覚ましシステム、およびこれを用いた目覚まし機能付ベッドに関するものである。
【背景技術】
【０００２】
従来から、起床希望時刻に就寝者を目覚めさせるためのさまざまな目覚まし装置が提案されている。例えば、敷布団の下側に就寝者の寝返りや四肢の移動などの体の動きによる振動を検出する振動センサを設けた目覚まし装置がある。この目覚まし装置は、目覚まし音などの刺激による就寝者の反応を振動センサで検出し、この振動センサの検出結果に基づいて就寝者への目覚まし音の強弱、または目覚まし音を発生する時刻などを決定している。このように、覚醒状況に応じて最適な目覚まし音を発生させることで、就寝者に快適な目覚めを提供しようとしている（例えば、特許文献１参照）。
【０００３】
ところで近年、起床動作が困難な高齢者などに電動ベッドが広く普及されつつある。この電動ベッドは、無段階にベッド高さや背もたれの起き上がり具合を調整する機能を有している。ベッド高さや背もたれの起き上がり具合は、ユーザ毎に最適ベッド高さ、最適背もたれ角度が異なる。このため、ユーザによってはベッド高さや背もたれ角度などの調整作業が煩わしくなる場合がある。そこで、電動ベッドとサーバとをインターネットなどの通信ネットワークを介して接続し、サーバに予めユーザ毎のベッド高さデータや背もたれ角度データなどを保存しておく技術が提案されている。このようにすることで、ユーザ毎にサーバから各データを読み出し、容易に電動ベッドを所望のベッド高さや背もたれ角度に調整することができ、より使い易く、且つ快適な電動ベッドシステムを提供しようとしている（例えば、特許文献２参照）。
【特許文献１】特開２００２−３７２５９３号公報
【特許文献２】特開２００６−２２３６４９号公報
【発明の開示】
【発明が解決しようとする課題】
【０００４】
しかしながら、上述の特許文献１にあっては、覚醒状況に応じて最適な目覚まし音を発生させるという点では優れているが、就寝者によっては、音自体の刺激を不快に思う場合もあり、快適な目覚めを提供する有効な手段とはなり難いばかりか、確実に目覚められないおそれがあるという課題がある。
また、上述の特許文献２にあっては、何ら目覚まし機能についての技術が開示されていない。すなわち、電動ベッドシステムに目覚まし機能を付加する場合にあっては、新たに目覚まし装置を設置する必要があり、電動ベッドシステムのコストが増大してしまうばかりか、システム全体の構成も煩雑になってしまうという課題がある。
【０００５】
そこで、この発明は、上述した事情に鑑みてなされたものであって、快適な目覚めを提供し、且つ確実に目覚めることができると共に、システム構成を簡素化することができる安価な目覚ましシステム、および目覚まし機能付ベッドを提供するものである。
【課題を解決するための手段】
【０００６】
上記の課題を解決するために、請求項１に記載した発明は、アクチュエータを駆動させるコントローラボックスと、通信ネットワークに接続され時刻情報を提供するサーバと、前記サーバに前記通信ネットワークを介して接続されると共に、前記コントローラボックスに接続される通信装置と、前記コントローラボックスに接続されるスイッチボックスとを備えた目覚ましシステムであって、前記コントローラボックスは、目覚まし時刻データを記憶可能な目覚まし時刻記憶部を有するメモリ部と、前記目覚まし時刻記憶部に予め記憶された前記目覚まし時刻データと前記サーバから得られた時刻情報とが一致したとき、前記アクチュエータを駆動させる制御部とを有し、前記スイッチボックスは、前記アクチュエータを操作するための操作部と、前記サーバから得られた時刻情報を表示する表示部とを有することを特徴とする。
このように構成することで、就寝者の頭や背中などの体全体にアクチュエータを用いた刺激を付与することができる。
また、サーバの時刻情報を利用して所望の時刻にアクチュエータを起動させることができる。
さらに、アクチュエータを操作するためのスイッチボックスに時刻情報を表示する表示部を設けることで、例えば、スイッチボックスを就寝者の手元に置くなどしておけば、就寝者は容易に正確な時刻を知ることができる。
【０００７】
請求項２に記載した発明は、前記スイッチボックスの前記操作部は目覚まし時刻を設定可能に構成され、この目覚まし時刻が前記目覚まし時刻データとして前記目覚まし時刻記憶部に書き込まれることを特徴とする。
このように構成することで、スイッチボックスを用いて容易に目覚まし時刻を設定することができる。
【０００８】
請求項３に記載した発明は、前記目覚まし時刻データを設定可能な端末装置を備え、前記端末装置で設定された目覚まし時刻データを前記通信ネットワークを介して前記目覚まし時刻記憶部に書き込む、または、前記端末装置を前記コントローラボックスに接続して前記端末装置で設定された目覚まし時刻データを前記目覚まし時刻記憶部に書き込むことを特徴とする。
このように構成することで、パソコン（パーソナルコンピュータ；Ｐｅｒｓｏｎａｌ  Ｃｏｍｐｕｔｅｒ）や携帯電話などの端末装置を用いて目覚まし時刻を設定することができると共に、インターネットなどの通信ネットワークを利用して遠方から目覚まし時刻を設定することが可能になる。
【０００９】
請求項４に記載した発明は、請求項１〜請求項３の何れかに記載の目覚ましシステムのうち、少なくともアクチュエータを電動ベッドに設けたことを特徴とする目覚まし機能付ベッドとした。
このように構成することで、アクチュエータを用いて電動ベッドの高さや背もたれの角度などを調整することができる。
また、サーバの時刻情報を利用するので、新たに別途目覚まし装置を設置する必要がなく、低コストで目覚ましシステムの構成を簡素化することができる目覚まし機能付ベッドを提供することができる。
【００１０】
請求項５に記載した発明は、前記メモリ部に前記電動ベッドの姿勢データを記憶可能な目覚まし位置記憶部を設け、前記制御部は、前記目覚まし時刻記憶部に予め記憶された前記目覚まし時刻データと前記サーバから得られた時刻情報とが一致したとき、前記アクチュエータを前記姿勢データに基づいて駆動させることを特徴とする。
このように構成することで、起床時におけるユーザの好みに応じたベッドの姿勢を設定することができる。
【００１１】
請求項６に記載した発明は、前記電動ベッドに、少なくとも前記電動ベッドの頭部高さ調整用、背部高さ調整用、足部高さ調整用、および前記電動ベッドの高さ調整用として前記アクチュエータを設け、前記目覚まし位置記憶部は、前記電動ベッドの姿勢データとして頭部高さデータ、背部高さデータ、足部高さデータ、およびベッド高さデータを記憶可能に構成されていることを特徴とする。
このように構成することで、より詳細に電動ベッドの姿勢を設定することが可能になる。
【００１２】
請求項７に記載した発明は、前記メモリ部に前記電動ベッドの駆動速度データを記憶可能な目覚まし動作記憶部を設け、前記制御部は、前記目覚まし時刻記憶部に予め記憶された前記目覚まし時刻データと前記サーバから得られた時刻情報とが一致したとき、前記アクチュエータを前記駆動速度データに基づいて駆動させることを特徴とする。
このように構成することで、起床時における電動ベッドの動作速度を調整することが可能になる。
【００１３】
請求項８に記載した発明は、前記スイッチボックス、および前記端末装置で前記姿勢データ、または前記駆動速度データを設定可能に構成したことを特徴とする。
【発明の効果】
【００１４】
請求項１に記載した発明によれば、就寝者の頭や背中などの体全体にアクチュエータを用いた刺激を付与することができるため、就寝者を確実に目覚めさせることができる。
また、サーバの時刻情報を利用して所望の時刻にアクチュエータを起動させることができるので、時刻にずれが生じることがなく、正確な時刻に起床することが可能になる。
さらに、アクチュエータを操作するためのスイッチボックスに時刻情報を表示する表示部を設けることで、例えば、スイッチボックスを就寝者の手元に置くなどしておけば、就寝者は容易に正確な時刻を知ることができる。
【００１５】
請求項２に記載した発明によれば、スイッチボックスを用いて容易に目覚まし時刻を設定することができるため、使い易い目覚ましシステムを提供することが可能になる。
【００１６】
請求項３に記載した発明によれば、パソコン（パーソナルコンピュータ；Ｐｅｒｓｏｎａｌ  Ｃｏｍｐｕｔｅｒ）や携帯電話などの端末装置を用いて目覚まし時刻を設定することができると共に、インターネットなどの通信ネットワークを利用して遠方から目覚まし時刻を設定することが可能になる。このため、より使い易い便利な目覚ましシステムを提供することが可能になる。
【００１７】
請求項４に記載した発明によれば、アクチュエータを用いて電動ベッドの高さや背もたれの角度などを調整することができるため、より快適な目覚めを提供することが可能になる。
また、サーバの時刻情報を利用するので、新たに別途目覚まし装置を設置する必要がなく、低コストで目覚ましシステムの構成を簡素化することができる目覚まし機能付ベッドを提供することができる。
【００１８】
請求項５に記載した発明によれば、起床時におけるユーザの好みに応じたベッドの姿勢を設定することができるので、さらに快適な目覚めを提供することができる。
【００１９】
請求項６に記載した発明によれば、より詳細に電動ベッドの姿勢を設定することが可能になるため、より快適、且つ確実に就寝者を起床させることが可能になる。
【００２０】
請求項７に記載した発明によれば、起床時における電動ベッドの動作速度を調整することが可能になるので、就寝者に不快な刺激を与えることを防止することが可能になる。
【００２１】
請求項８に記載した発明によれば、容易に調整を行うことができる目覚まし機能付ベッドを提供することが可能になる。
【発明を実施するための最良の形態】
【００２２】
次に、この発明の実施形態を図面に基づいて説明する。
図１、図２に示すように、目覚まし機能付ベッド１は、電動ベッド２に目覚ましシステム８０を設けたものである。目覚ましシステム８０は、複数のアクチュエータ（ＡＣＴ）３と、これらアクチュエータ３を駆動させるコントローラボックス（Ｃ．ＢＯＸ）４と、コントローラボックス４に接続された通信ユニット５と、コントローラボックス４に接続された手元スイッチ６とが内蔵されたものであって、通信ユニット５が通信ネットワークとしての携帯通信網７を介して時刻情報を提供するサーバ８に接続されている。
【００２３】
複数のアクチュエータ３は、それぞれ電動ベッド２の頭部２ａ、背部２ｂ、膝部２ｃ、足部２ｄに取り付けられている他、電動ベッド２を支持する脚部２ｅに取り付けられている（図１参照）。各アクチュエータ３は、それぞれ対応する部位の高さ調整用として用いられる。すなわち、アクチュエータ３には不図示のシリンダーロッドが設けられており、このシリンダーロッドが伸縮移動することによって、電動ベッド２の設置高さや各部が上下方向に変位するようになっている。
コントローラボックス４は、電源部９、メモリ部１０、ベッド駆動制御部１１、時計部１２、通信インターフェイス１３、および、これらを統括的に制御する制御部１４を有している。
【００２４】
メモリ部１０としては、例えば、Ｅ２ＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などが用いられている。メモリ部１０は、現在時刻記憶部１５、目覚まし時刻記憶部１６、目覚まし位置記憶部１７、および、目覚まし動作記憶部１８を備えている。
現在時刻記憶部１５には、サーバ８からの時刻情報が現在時刻データとして書き込まれている。目覚まし時刻記憶部１６には、目覚まし時刻データが書き込まれている。
【００２５】
目覚まし位置記憶部１７には、起床時における電動ベッド２の姿勢データが書き込まれている。すなわち、電動ベッド２の頭停止位置を頭部２ａの傾斜角度（°）として設定し、背停止位置を背部２ｂの傾斜角度、つまり、背もたれの角度（°）として設定し、足停止位置を足部２ｄの腿傾斜角度（°）として設定すると共に、電動ベッド２のベッド高さ（ｃｍ）を設定し、これらを姿勢データとして目覚まし位置記憶部１７に書き込むようになっている。
目覚まし動作記憶部１８には、電動ベッド２が就寝時の姿勢から目覚まし位置記憶部１７に書き込まれた姿勢に至るまでの動作スピードがデータとして書き込まれている。
【００２６】
ベッド駆動制御部１１は、目覚まし制御部１９、ＡＣＴ（アクチュエータ）駆動部２０、および、位置制御部２１を備えている。
目覚まし制御部１９は、現在時刻記憶部１５の現在時刻データと目覚まし時刻記憶部１６の目覚まし時刻データが一致したとき、ＡＣＴ駆動部２０の制御を行うようになっている。ＡＣＴ駆動部２０はアクチュエータ３を駆動させるためのものであって、アクチュエータ３はＡＣＴ駆動部２０からの出力信号に基づいて駆動するようになっている。
位置制御部２１は、目覚まし位置記憶部１７の姿勢データに基づいてＡＣＴ駆動部２０の制御を行うものである。すなわち、位置制御部２１は、起床時刻となった際の各アクチュエータ３のシリンダーロッドのストローク量、およびストローク方向（伸長方向、および縮退方向）を制御している。
【００２７】
時計部１２は、コントローラボックス４自身が持つ時刻情報を提供する部位である。ここで、メモリ部１０の現在時刻記憶部１５には、サーバ８からの時刻情報が現在時刻データとして書き込まれるようになっているので、時計部１２から提供される時刻情報は、現在時刻記憶部１５に書き込まれない。しかしながら、何らかの障害によりサーバ８からの通信が途絶えたとき、現在時刻記憶部１５には時計部１２の時刻情報が現在時刻データとして書き込まれる。すなわち、現在時刻データは確実に常時更新されるようになっている。
【００２８】
通信ユニット５は、携帯通信網７と接続可能な通信機能を有するものであって、通信インターフェイス１３を介してコントローラボックス４と接続している。通信ユニット５は、通信部４２、時計部２２、および、メモリ部２３を備えている。通信部４２は、サーバ８と携帯通信網７を介して信号の送受信を行うものである。時計部２２は、通信ユニット５自身が持つ時刻情報を提供する部位である。メモリ部２３は、コントローラボックス４のメモリ部１０に記憶されている目覚まし時刻データ、電動ベッド２の姿勢データ、および、電動ベッド２の動作スピードデータを読み出して書き込んだり、サーバ８から発信される時刻情報などのデータを書き込んだりするものである。すなわち、通信ユニット５は、サーバ８からの情報をデータして記憶し、このデータを通信インターフェイス１３を介してコントローラボックス４のメモリ部２３に送信する役割を有すると共に、コントローラボックス４のメモリ部２３に記憶されている各データをサーバ８へ送信する役割も有している。
【００２９】
なお、通信ユニット５のメモリ部２３にも、サーバ８からの時刻情報が現在時刻データとして書き込まれる。このため、通常、時計部２２から提供される時刻情報は、メモリ部２３に書き込まれないようになっているが、何らかの障害によりサーバ８からの通信が途絶えた場合、時計部２２の時刻情報が現在時刻データとしてメモリ部２３に書き込まれるようになっている。
【００３０】
手元スイッチ６は、電動ベッド２の操作を行ったり、コントローラボックス４のメモリ部１０に記憶されている各データの設定、表示を行ったりするものであって、通信インターフェイス１３を介してコントローラボックス４と接続している。手元スイッチ６は、電動ベッド２の操作、および、目覚まし時刻データと電動ベッド２の姿勢データと電動ベッド２の動作スピードデータを設定するための操作部２４と、電動ベッド２の動作状況や時刻などを表示する表示部２５を備えている。
【００３１】
より詳しく、図３、図４に基づいて説明する。図３に示すように、手元スイッチ６は、縦長の筐体２６を有している。この筐体２６の表面には、中央に操作部２４が設けられている。操作部２４には、上から順に頭操作部２７、背操作部４７、足操作部２８、ベッド高さ操作部２９、メモリ（設定）部３０が配設されている。頭操作部２７は、電動ベッド２の頭部２ａを上下方向に変位させるためのものであって、ＵＰキー２７ａとＤＯＷＮキー２７ｂとを備えている。背操作部４７は、電動ベッド２の背部２ｂを上下方向に変位させるためのものであって、ＵＰキー４７ａとＤＯＷＮキー４７ｂとを備えている。足操作部２８は、電動ベッド２の足部２ｄを上下方向に変位させたり、膝部２ｃを曲げたりするためのものであって、ＵＰキー２８ａとＤＯＷＮキー２８ｂとを備えている。ベッド高さ操作部２９は、電動ベッド２の高さを調整するためのものであって、ＵＰキー２９ａとＤＯＷＮキー２９ｂとを備えている。
【００３２】
メモリ部３０は、コントローラボックス４のメモリ部１０に記憶されている目覚まし時刻データ、電動ベッド２の姿勢データ、および電動ベッド２の動作スピードデータを設定するためのものであって、メモリキー３０ａを備えている。すなわち、メモリキー３０ａを押下すると、各データをそれぞれ頭操作部２７、背操作部４７、足操作部２８、ベッド高さ操作部２９に設けられたＵＰキー２７ａ，４７ａ，２８ａ，２９ａとＤＯＷＮキー２７ｂ，４７ｂ，２８ｂ，２９ｂを用いて設定することが可能になる。
【００３３】
また、筐体２６の表面には、操作部２４の上方に表示部２５が設けられている。図４に示すように、表示部２５の表示領域３１には、右半分の大部分を占める部位に数値表示領域３２が設けられている。数値表示領域３２には、電動ベッド２の頭部２ａの傾斜角度（°）、背もたれの角度（°）、足部２ｄの腿傾斜角度（°）、ユーザの体重（ｋｇ）、ベッド高さ（ｃｍ）、および、コントローラボックス４のメモリ部１０に記憶されている現在時刻データ、目覚まし時刻データ、電動ベッド２の姿勢データ、および電動ベッド２の動作スピードデータが表示される。
【００３４】
表示領域３１の左半分には、大部分を占める部位に電動ベッド２の駆動状態を示すベッド状態表示領域３５が設けられている。このベッド状態表示領域３５には、電動ベッド２の姿勢を示すベッド姿勢アイコン３５ａが表示されている。そして、電動ベッド２の各部が動作中の状態にあるときにはそれに対応する部位が点滅し、動作が停止したときにはそれに対応する部位が点灯するようになっている。つまり、例えば、電動ベッド２の背部を起こす場合、背部が起き上がり途中にあるときは背部アイコンＸが点滅した状態になり、設定値まで背部が起き上がり、停止した状態にあるときは背部アイコンＸが点灯するようになっている。
【００３５】
表示領域３１の上端には、右寄りに２つのアイコン３９ａ，３９ｂが表示されている。これらアイコン３９ａ，３９ｂは、数値表示領域３２に表示されている現在時刻データが午前（ＡＭ）であるか、午後（ＰＭ）であるかを表示している。
数値表示領域３２の下端には、左寄りにＯＮ／ＯＦＦアイコン４０が表示されており、この下方に動作スピード表示アイコン３８が表示されている。
【００３６】
ＯＮ／ＯＦＦアイコン４０は、コントローラボックス４のメモリ部１０に記憶されている電動ベッド２の姿勢データ、および電動ベッド２の動作スピードデータの設定を有効にするか（ＯＮ）否か（ＯＦＦ）を示している。すなわち、ＯＮ／ＯＦＦアイコン４０がＯＮであるとき、起床時刻になると同時に姿勢データ、動作スピードデータに基づいて電動ベッド２が変位動作を開始する。一方、ＯＮ／ＯＦＦアイコン４０がＯＦＦであるとき、目覚まし時刻になっても、電動ベッド２はそのままの状態を維持する。
一方、動作スピード表示アイコン３８は、電動ベッド２の動作スピードに応じて表示方法が変化するようになっている。例えば、動作スピードが遅い場合と動作スピードが速い場合とで表示色を変化させたり、遅い場合、または速い場合の何れか一方を点滅、他方を点灯させたりする。
【００３７】
また、数値表示領域３２の下端には、右寄りに２つのＯＮ／ＯＦＦアイコン４３ａ，４３ｂが表示されており、これらの下方に目覚ましモードアイコン４４ａ，４４ｂが表示されている。
２つのＯＮ／ＯＦＦアイコン４３ａ，４３ｂは、コントローラボックス４のメモリ部１０に記憶されている目覚まし時刻データの設定を有効にするか（ＯＮ）否か（ＯＦＦ）を示している。すなわち、ＯＮ／ＯＦＦアイコン４３ａ，４３ｂを用いて２つの目覚まし時刻を設定することができ、これらに対応して目覚ましモードアイコン４４ａ，４４ｂがそれぞれ目覚ましモード１、目覚ましモード２として表示される。また、ＯＮ／ＯＦＦアイコン４３ａ，４３ｂを用いて設定された２つの目覚まし時刻は、それぞれ目覚ましモード１、目覚ましモード２としてコントローラボックス４のメモリ部１０に記憶しておくことが可能になっている。
【００３８】
ここで、電動ベッド２の姿勢データ、および電動ベッド２の動作スピードデータは、目覚ましモード毎にコントローラボックス４のメモリ部１０に書き込まれている。各目覚ましモードに設定された動作例としては、以下のようなものが挙げられる。
（１）電動ベッド２の背部を数度の範囲で上下させて上半身に軽い振動を与えてユーザの起床を促す。
（２）電動ベッド２の頭部２ａを数度の範囲で上下させて上半身に軽い振動を与えてユーザの起床を促す。
（３）電動ベッド２の背部２ｂを２°ずつ１０秒毎に上げて所望の頭停止位置まで移動し、ユーザの起床を促す。
（４）電動ベッド２の膝部２ｃを２°ずつ１０秒毎に上げて所望の足停止位置まで移動し、ユーザの起床を促す。
（５）ベッド高さを２ｃｍずつ１０秒毎に上げて所望のベッド高さ停止位置まで移動し、ユーザの起床を促す。
（６）（１）〜（５）の組み合わせにてユーザの起床を促す。
【００３９】
このように、ＯＮ／ＯＦＦアイコン４３ａがＯＮのときは目覚ましモード１がＯＮ、ＯＮ／ＯＦＦアイコン４３ｂがＯＮのときは目覚ましモード２がＯＮとなり、各目覚ましモードに応じて上述の（１）〜（６）に示すような動作を行う。
なお、電動ベッド２の各部を動作させるにあたっては、各部に取り付けられているアクチュエータ３のシリンダーロッドを伸縮運動させることにより行われるので、メモリ部１０の目覚まし位置記憶部１７には、各動作例に応じたアクチュエータ３のシリンダーロッドのストローク量が姿勢データとして書き込まれている。また、アクチュエータ３のストローク動作スピードは、各動作例に応じて動作スピードデータとしてメモリ部１０の目覚まし動作記憶部１８に書き込まれている。
【００４０】
また、ＯＮ／ＯＦＦアイコン４３ａ，４３ｂがＯＦＦの場合、目覚ましモード１，２がＯＦＦとなり、例え目覚まし時刻が設定されていても目覚まし動作を行わない通常動作モードとなる。通常動作モードの場合は、手元スイッチ６を操作することによって手動で電動ベッド２の各部を動作させる。
【００４１】
図２に示すように、コントローラボックス４は、アクチュエータ３、通信ユニット５、および手元スイッチ６が接続されている他、時計ユニット５０や端末装置としてのパソコン５１が接続可能である。
時計ユニット５０は、通信インターフェイス１３を介してコントローラボックス４に接続されている。時計ユニット５０は、コントローラボックス４に時刻情報を提供するものであって、上述のコントローラボックス４の時計部１２、通信ユニット５の時計部２２と同様にサーバ８からの通信が何らかの障害により途絶えた場合に備え、予備的に時刻情報を提供する役割を有している。したがって、時計ユニット５０はあくまで予備的なものであるので、コントローラボックス４に接続しなくても目覚まし機能付ベッド１の機能を損なうおそれはない。
【００４２】
パソコン５１は、手元スイッチ６に代わってコントローラボックス４のメモリ部１０に記憶されている各データの設定、表示を行うものであって、通信インターフェイス１３を介してコントローラボックス４に接続されている。
図５に示すように、パソコン５１のディスプレイ５２上には、中央の大部分に電動ベッド２の姿勢を示すベッド姿勢表示領域５３が設けられている。このベッド姿勢表示領域５３には、電動ベッド画像５４が表示されている。電動ベッド画像５４は、起床時の電動ベッド２の姿勢を設定する場合にあってはコントローラボックス４のメモリ部１０に記憶されている電動ベッド２の姿勢データ（頭停止位置、背停止位置、足停止位置、およびベッド高さ停止位置）に基づいて表示されるようになっている。
【００４３】
ベッド姿勢表示領域５３の下方には、目覚まし姿勢表示領域６５が設けられている。この目覚まし姿勢表示領域６５には、電動ベッド２の背停止位置（背もたれの角度）、足停止位置（足部２ｄの腿傾斜角度）、ベッド高さ停止位置、および頭停止位置（頭部２ａの傾斜角度）がこの順で表示されるようになっている。
ベッド姿勢表示領域５３の上方には、動作スピード表示領域５５が設けられている。この動作スピード表示領域５５には、コントローラボックス４のメモリ部１０に記憶されている動作スピードデータが表示されており、例えば、起床時における電動ベッド２の頭部２ａや足部２ｄの動作スピードが「３０秒毎に２°上げる」などのように表示されている。
【００４４】
また、動作スピード表示領域５５の上方には、目覚まし時刻表示領域５６が設けられている。この目覚まし時刻表示領域５６には、コントローラボックス４のメモリ部１０に記憶されている目覚まし時刻データが表示されている。
なお、パソコン５１による各設定は手元スイッチ６を用いて行うことができるので、パソコン５１をコントローラボックス４に接続しなくても目覚まし機能付ベッド１の機能を損なうおそれはない。
【００４５】
次に、図６に基づいて、目覚まし機能付ベッド１の動作について説明する。
まず、手元スイッチ６、またはパソコン５１を用いて目覚まし時刻を設定する（ＳＴ１）。
次に、各目覚ましモードがＯＮか否かを判断する（ＳＴ２、図４参照）。
各目覚ましモードの何れかがＯＮ、つまり、ＳＴ２における判断が「Ｙｅｓ」である場合、コントローラボックス４のメモリ部１０の現在時刻記憶部１５に書き込まれている現在時刻データと、目覚まし時刻記憶部１６に書き込まれている目覚まし時刻データが一致しているか否かを判断する（ＳＴ３）。
【００４６】
現在時刻データと目覚まし時刻データが不一致である場合、つまり、ＳＴ３における判断が「Ｎｏ」である場合、再びＳＴ３の判断を行う。
これに対し、現在時刻データと目覚まし時刻データが一致した場合、つまり、ＳＴ３における判断が「Ｙｅｓ」である場合、コントローラボックス４のベッド駆動制御部１１によってアクチュエータ３を駆動させ、目覚まし動作を開始する（ＳＴ４）。このとき、アクチュエータ３は、ＯＮに設定されている目覚ましモードの設定データに基づいて所定のアクチュエータ３のみが駆動する。そして、電動ベッド２が所望の姿勢、つまり、電動ベッド２の姿勢がメモリ部１０の目覚まし位置記憶部１７に書き込まれた姿勢データと一致すると、目覚まし動作が終了する。
【００４７】
一方、各目覚ましモードがＯＦＦ、つまり、ＳＴ２における判断が「Ｎｏ」である場合、目覚まし機能付ベッド１は通常動作モードとなる（ＳＴ５）。この場合、手元スイッチ６による手動操作によって電動ベッド２を動作させる。なお、各目覚ましモードの何れかがＯＮであっても、目覚まし時刻になるまでは電動ベッド２を手動動作させることが可能である。
【００４８】
したがって、上述の実施形態によれば、電動ベッド２を動作させるためのコントローラボックス４にメモリ部１０を設け、このメモリ部１０に書き込まれた現在時刻データ、目覚まし時刻データ、電動ベッド２の姿勢データ、および電動ベッド２の動作スピードデータに基づいてアクチュエータ３を駆動させることができる。このため、起床時刻になるとアクチュエータ３を用いて電動ベッド２の各部を動作させたり、電動ベッド２の高さを変更したりすることができ、ユーザである就寝者の頭や背中などの体全体に適度な刺激を付与することができる。よって、就寝者を確実に目覚めさせることができる。
【００４９】
また、サーバ８の時刻情報を利用して所望の時刻にアクチュエータ３を起動させることができるので、時刻にずれが生じることなく、正確な時刻に起床することが可能になる。
さらに、電動ベッド２を操作するための手元スイッチ６に電動ベッド２の動作状況や時刻などを表示する表示部２５を設けることで、例えば、手元スイッチ６を就寝者の手元に置くなどしておけば、就寝者は容易に正確な時刻、電動ベッド２の姿勢を知ることができる。
【００５０】
そして、手元スイッチ６を用いて容易に目覚まし時刻を設定することができるため、使い易い目覚まし機能付ベッド１を提供することが可能になる。
また、端末装置であるパソコン５１をコントローラボックス４に接続することで、パソコン５１を用いて目覚まし時刻や起床時における電動ベッド２の姿勢を設定することができる。このため、より使い易い目覚ましシステムを提供することが可能になる。
さらに、コントローラボックス４の現在時刻記憶部１５にサーバ８からの時刻情報を現在時刻データとして書き込むため、新たに別途目覚まし装置を設置する必要がなく、低コストで目覚ましシステム８０の構成を簡素化することができる目覚まし機能付ベッド１を提供することができる。
【００５１】
そして、メモリ部１０の目覚まし位置記憶部１７に電動ベッド２の姿勢データを書き込むことができるので、起床時におけるユーザの好みに応じた電動ベッド２の姿勢を設定することができるので、さらに快適な目覚めを提供することができる。
また、姿勢データや目覚まし時刻データは目覚ましモード毎に設定することができるので、予め複数の目覚ましパターンを設定しておくことで、容易な操作で目覚ましパターンを変更することができる。
【００５２】
さらに、複数のアクチュエータ３は、それぞれ電動ベッド２の頭部２ａ、背部２ｂ、膝部２ｃ、足部２ｄに取り付けられている他、電動ベッド２を支持する脚部２ｅに取り付けられているため、起床時に電動ベッド２の頭部や背部のみを上下させたり、頭停止位置のみを変更したり、膝部２ｃのみを曲げたりと、さまざまな姿勢を設定することができる。このため、より快適、且つ確実に就寝者を起床させることが可能になる。
【００５３】
そして、コントローラボックス４の目覚まし動作記憶部１８には、電動ベッド２が就寝時の姿勢から目覚まし位置記憶部１７に書き込まれた姿勢に至るまでの動作スピードがデータとして書き込まれているので、ユーザの好みに応じた電動ベッド２の動作スピードを設定することができる。このため、就寝者に不快な刺激を与えることを防止することが可能になる。
【００５４】
なお、本発明は上述の実施形態に限られるものではなく、本発明の趣旨を逸脱しない範囲において、上述の実施形態に種々の変更を加えたものを含む。
また、上述の実施形態では、コントローラボックス４に端末装置としてのパソコン５１が接続されている場合について説明した。しかしながら、これに限られるものではなく、図７に示すように、パソコン５１をインターネットＬを介してサーバ８に接続してもよいし、パソコン５１に代わって端末装置として携帯電話７０を用いてもよい。
【００５５】
このように、サーバ８にインターネットＬを介してパソコン５１や携帯電話７０を接続することによって遠方から目覚まし機能付ベッド１の目覚まし時刻や起床時の電動ベッド２の姿勢を設定することが可能になる。また、ユーザ以外にも例えばユーザの家族などに依頼して目覚まし時刻や起床時の電動ベッド２の姿勢を設定することが可能になると共に、出先のホテルなどから設定することも可能になる。このため、より使い易い便利な目覚まし機能付ベッド１を提供することが可能になるばかりか、ユーザの家族などが遠方から設定することで、例えば、寝たきりの高齢者などの介護の負担を軽減することも可能になる。
【００５６】
さらに、上述の実施形態では、電動ベッド２の頭部２ａ、背部２ｂ、膝部２ｃ、足部２ｄに相当する部位にアクチュエータ３が設けられている他、電動ベッド２を支持する脚部２ｅにアクチュエータ３が取り付けられている場合について説明した。しかしながら、これに限られるものではなく、少なくとも電動ベッド２の頭部高さ（頭部２ａの傾斜角度）、背部高さ（背もたれの角度）、足部高さ（足部２ｄの腿傾斜角度）、および電動ベッド２の高さの調整を行うことが可能な部位にアクチュエータ３を設け、コントローラボックス４の目覚まし位置記憶部１７に頭停止位置、背停止位置、足停止位置、およびベッド高さを姿勢データとして設定できればよい。
【００５７】
そして、上述の実施形態では、電動ベッド２に複数のアクチュエータ３と、これらアクチュエータ３を駆動させるコントローラボックス４と、コントローラボックス４に接続された通信ユニット５と、コントローラボックス４に接続された手元スイッチ６とが内蔵されている場合について説明した。しかしながら、少なくとも電動ベッド２に複数のアクチュエータ３が設けられていればよく、コントローラボックス４、通信ユニット５、および手元スイッチ６を電動ベッド２の外部に設けてもよい。
【００５８】
また、上述の実施形態では、目覚ましシステム８０の通信ユニット５が通信ネットワークとしての携帯通信網７を介して時刻情報を提供するサーバ８に接続されている場合について説明した。しかしながら、これに限られるものではなく、携帯通信網７に代わってインターネットなどの通信ネットワークを用いても良い。
【図面の簡単な説明】
【００５９】
【図１】本発明の実施形態における目覚まし機能付ベッドの構成を示す説明図である。
【図２】本発明の実施形態における目覚まし機能付ベッドの構成を示すブロック図である。
【図３】本発明の実施形態における手元スイッチの平面図である。
【図４】本発明の実施形態における手元スイッチの表示部を示す平面図である。
【図５】本発明の実施形態におけるパソコンのディスプレイの平面図である。
【図６】本発明の実施形態における目覚まし機能付ベッドの動作を示すフローチャートである。
【図７】本発明の実施形態における目覚まし機能付ベッドの構成を示す説明図である。
【符号の説明】
【００６０】
１  目覚まし機能付ベッド
２  電動ベッド
３  アクチュエータ
４  コントローラボックス
５  通信ユニット（通信装置）
６  手元スイッチ（スイッチボックス）
７  携帯通信網（通信ネットワーク）
８  サーバ
１０  メモリ部
１１  ベッド駆動制御部（制御部）
１６  目覚まし時刻記憶部
１７  目覚まし位置記憶部
１８  目覚まし動作記憶部
１９  目覚まし制御部
２０  ＡＣＴ駆動部
２１  位置制御部
２４  操作部
２５  表示部
２７  頭操作部
２８  足操作部
２９  ベッド高さ操作部
４２  通信部
４７  背操作部
５１  パソコン（端末装置）
７０  携帯電話（端末装置）
８０  目覚ましシステム
【図１】
2009077940.tif 000003
【図２】
2009077940.tif 000004
【図３】
2009077940.tif 000005
【図４】
2009077940.tif 000006
【図５】
2009077940.tif 000007
【図６】
2009077940.tif 000008
【図７】
2009077940.tif 000009